(57)【特許請求の範囲】
【請求項１】
マルチキャリアシステムにおいてチャネル品質を報告するための方法であって、
１つまたは複数のチャネル情報フィードバック報告パラメータを受信することと、前記チャネル情報フィードバック報告パラメータは、１つのアップリンク（ＵＬ）コンポーネントキャリアと非対称に構成された複数のダウンリンク（ＤＬ）コンポーネントキャリアの総ＤＬ帯域幅に基づいて決定され、
前記複数のＤＬコンポーネントキャリアについての１つまたは複数のチャネル情報フィードバック報告を生成することと、各チャネル情報フィードバック報告は前記１つまたは複数のチャネル情報フィードバック報告パラメータに従って生成され、前記生成することは、前記複数のＤＬコンポーネントキャリアのうちの少なくとも２つについて少なくとも１つの集約チャネル情報フィードバック報告を生成することを備え、前記少なくとも２つのＤＬコンポーネントキャリアは、隣接するコンポーネントキャリア、あるいは同じＤＬ送信モードおよび／またはチャネル品質インジケータ（ＣＱＩ）報告モードで構成されるコンポーネントキャリア、のうちの少なくとも一方であり、
前記複数のＤＬコンポーネントキャリアについての前記１つまたは複数のチャネル情報フィードバック報告を前記ＵＬコンポーネントキャリア上で進化型ノードＢ（ｅノードＢ）に送信することと、
を備える方法。
【請求項２】
前記１つまたは複数のチャネル情報フィードバック報告パラメータは、サブバンドサイズ、帯域幅パート、または報告するためのサブバンドの好適な数のうちの少なくとも１つを備える、請求項１記載の方法。
【請求項３】
前記１つまたは複数のチャネル情報フィードバック報告は、ユーザ機器選択サブバンドチャネル品質インジケータ（ＣＱＩ）報告を備える、請求項１記載の方法。
【請求項４】
前記送信することは、物理アップリンク共有チャネルを使用して前記ＣＱＩ報告を送信することを備える、請求項３記載の方法。
【請求項５】
前記送信することは、物理アップリンク制御チャネルを使用して前記ＣＱＩ報告を送信することを備える、請求項３記載の方法。
【請求項６】
少なくとも１つの集約チャネル情報フィードバック報告を生成することは、ＵＥごとに動作可能にされる、請求項１記載の方法。
【請求項７】
複数のＭ個のコンポーネントキャリアは、１つまたは複数のコンポーネントキャリアのセットに分割され、前記決定することは、各セットについて１つまたは複数のチャネル情報フィードバック報告パラメータを決定することを備える、請求項１記載の方法。
【請求項８】
マルチキャリアシステムにおいてチャネル品質を報告するための装置であって、
１つまたは複数のチャネル情報フィードバック報告パラメータを受信するための論理と、前記チャネル情報フィードバック報告パラメータは、１つのアップリンク（ＵＬ）コンポーネントキャリアと非対称に構成された複数のダウンリンク（ＤＬ）コンポーネントキャリアの総ＤＬ帯域幅に基づいて決定され、
前記複数のＤＬコンポーネントキャリアについて１つまたは複数のチャネル情報フィードバック報告を生成するための論理と、各チャネル情報フィードバック報告は前記１つまたは複数のチャネル情報フィードバック報告パラメータに従って生成され、前記生成することは、前記複数のＤＬコンポーネントキャリアのうちの少なくとも２つについて少なくとも１つの集約チャネル情報フィードバック報告を生成することを備え、前記少なくとも２つのＤＬコンポーネントキャリアは、隣接するコンポーネントキャリア、あるいは同じＤＬ送信モードおよび／またはチャネル品質インジケータ（ＣＱＩ）報告モードで構成されるコンポーネントキャリア、のうちの少なくとも一方であり、
前記複数のＤＬコンポーネントキャリアについての前記１つまたは複数のチャネル情報フィードバック報告を前記ＵＬコンポーネントキャリア上で進化型ノードＢ（ｅノードＢ）に送信するための論理と、
を備える装置。
【請求項９】
前記１つまたは複数のチャネル情報フィードバック報告パラメータは、サブバンドサイズ、帯域幅パート、または報告するためのサブバンドの好適な数のうちの少なくとも１つを備える、請求項８記載の装置。
【請求項１０】
前記１つまたは複数のチャネル情報フィードバック報告は、ユーザ機器選択サブバンドチャネル品質インジケータ（ＣＱＩ）報告を備える、請求項８記載の装置。
【請求項１１】
送信するための論理は、物理アップリンク共有チャネルを使用して前記ＣＱＩ報告を送信するための論理を備える、請求項１０記載の装置。
【請求項１２】
送信するための論理は、物理アップリンク制御チャネルを使用して前記ＣＱＩ報告を送信するための論理を備える、請求項１０記載の装置。
【請求項１３】
少なくとも１つの集合チャネル情報フィードバック報告を生成するための論理が、ＵＥごとに動作可能にされる、請求項８に記載の装置。
【請求項１４】
複数のＭ個のコンポーネントキャリアは、１つまたは複数のコンポーネントキャリアのセットに分割され、前記決定することは、各セットについて１つまたは複数のチャネル情報フィードバック報告パラメータを決定することを備える、請求項８記載の装置。
【請求項１５】
マルチキャリアシステムにおいてチャネル品質を報告するための装置であって、
１つまたは複数のチャネル情報フィードバック報告パラメータを受信するための手段と、前記チャネル情報フィードバック報告パラメータは、１つのアップリンク（ＵＬ）コンポーネントキャリアと非対称に構成された複数のダウンリンク（ＤＬ）コンポーネントキャリアの総ＤＬ帯域幅に基づいて決定され、
前記複数のＤＬコンポーネントキャリアについての１つまたは複数のチャネル情報フィードバック報告を生成するための手段と、各チャネル情報フィードバック報告は前記１つまたは複数のチャネル情報フィードバック報告パラメータに従って生成され、前記生成することは、前記複数のＤＬコンポーネントキャリアのうちの少なくとも２つについて少なくとも１つの集約チャネル情報フィードバック報告を生成することを備え、前記少なくとも２つのＤＬコンポーネントキャリアは、隣接するコンポーネントキャリア、あるいは同じＤＬ送信モードおよび／またはチャネル品質インジケータ（ＣＱＩ）報告モードで構成されるコンポーネントキャリア、のうちの少なくとも一方であり、
前記複数のＤＬコンポーネントキャリアについての前記１つまたは複数のチャネル情報フィードバック報告を前記ＵＬコンポーネントキャリア上で進化型ノードＢ（ｅノードＢ）に送信するための手段と、
を備える装置。
【請求項１６】
前記１つまたは複数のチャネル情報フィードバック報告パラメータは、サブバンドサイズ、帯域幅パート、または報告するためのサブバンドの好適な数のうちの少なくとも１つを備える、請求項１５記載の装置。
【請求項１７】
前記１つまたは複数のチャネル情報フィードバック報告は、ユーザ機器選択サブバンドチャネル品質インジケータ（ＣＱＩ）報告を備える、請求項１５記載の装置。
【請求項１８】
前記送信するための手段は、物理アップリンク共有チャネルを使用して前記ＣＱＩ報告を送信するための手段を備える、請求項１７記載の装置。
【請求項１９】
前記送信するための手段は、物理アップリンク制御チャネルを使用して前記ＣＱＩ報告を送信するための手段を備える、請求項１７記載の装置。
【請求項２０】
前記少なくとも１つの集約チャネル情報フィードバック報告を生成するための手段は、ＵＥごとに動作可能にされる、請求項１５記載の装置。
【請求項２１】
複数のＭ個のコンポーネントキャリアは、１つまたは複数のコンポーネントキャリアのセットに分割され、前記決定することは、各セットについての１つまたは複数のチャネル情報フィードバック報告パラメータを決定することを備える、請求項１５記載の装置。
【請求項２２】
マルチキャリアシステムにおいてチャネル品質を報告するためのコンピュータプログラムであって、前記コンピュータプログラムは、１つまたは複数のプロセッサに、
１つまたは複数のチャネル情報フィードバック報告パラメータを受信することと、前記チャネル情報フィードバック報告パラメータは、１つのアップリンク（ＵＬ）コンポーネントキャリアと非対称に構成された複数のダウンリンク（ＤＬ）コンポーネントキャリアの総ＤＬ帯域幅に基づいて決定され、
前記複数のＤＬコンポーネントキャリアについての１つまたは複数のチャネル情報フィードバック報告を生成することと、各チャネル情報フィードバック報告は前記１つまたは複数のチャネル情報フィードバック報告パラメータに従って生成され、前記生成することは、前記複数のＤＬコンポーネントキャリアのうちの少なくとも２つについて少なくとも１つの集約チャネル情報フィードバック報告を生成することを備え、前記少なくとも２つのＤＬコンポーネントキャリアは、隣接するコンポーネントキャリア、あるいは同じＤＬ送信モードおよび／またはチャネル品質インジケータ（ＣＱＩ）報告モードで構成されるコンポーネントキャリア、のうちの少なくとも一方であり、
前記複数のＤＬコンポーネントキャリアについての前記１つまたは複数のチャネル情報フィードバック報告を前記ＵＬコンポーネントキャリア上で進化型ノードＢ（ｅノードＢ）に送信することと、
を実行させるコンピュータプログラム。
【請求項２３】
マルチキャリアシステムにおいてチャネル品質を報告するための装置であって、
１つまたは複数のチャネル情報フィードバック報告パラメータを受信することと、前記チャネル情報フィードバック報告パラメータは、１つのアップリンク（ＵＬ）コンポーネントキャリアと非対称に構成された複数のダウンリンク（ＤＬ）コンポーネントキャリアの総ＤＬ帯域幅に基づいて決定され、
前記複数のＤＬコンポーネントキャリアについて１つまたは複数のチャネル情報フィードバック報告を生成することと、各チャネル情報フィードバック報告は前記１つまたは複数のチャネル情報フィードバック報告パラメータに従って生成され、前記生成することは、前記複数のＤＬコンポーネントキャリアのうちの少なくとも２つについて少なくとも１つの集約チャネル情報フィードバック報告を生成することを備え、前記少なくとも２つのＤＬコンポーネントキャリアは、隣接するコンポーネントキャリア、あるいは同じＤＬ送信モードおよび／またはチャネル品質インジケータ（ＣＱＩ）報告モードで構成されるコンポーネントキャリア、のうちの少なくとも一方であり、
前記複数のＤＬコンポーネントキャリアについての前記１つまたは複数のチャネル情報フィードバック報告を前記ＵＬコンポーネントキャリア上で進化型ノードＢ（ｅノードＢ）に送信することと、
を行うように構成された少なくとも１つのプロセッサと、
前記少なくとも１つのプロセッサに結合されたメモリと、
を備える装置。
【請求項２４】
マルチキャリアシステムにおいてチャネル品質を報告するための方法であって、
１つのアップリンク（ＵＬ）コンポーネントキャリアと非対称に構成された複数のダウンリンク（ＤＬ）コンポーネントキャリアの総ＤＬ帯域幅に基づいて１つまたは複数のチャネル情報フィードバック報告パラメータを決定することと、
前記１つまたは複数のチャネル情報フィードバック報告パラメータを前記複数のＤＬコンポーネントキャリア上でユーザ機器（ＵＥ）に送信することと、
前記複数のＤＬコンポーネントキャリア上で、前記複数のＤＬコンポーネントキャリアについての１つまたは複数のチャネル情報フィードバック報告を受信することと、各チャネル情報フィードバック報告は前記１つまたは複数のチャネル情報フィードバック報告パラメータに従って生成され、前記１つまたは複数のチャネル情報フィードバック報告は、前記複数のＤＬコンポーネントキャリアのうちの少なくとも２つについて少なくとも１つの集約チャネル情報フィードバック報告を備え、前記少なくとも２つのＤＬコンポーネントキャリアは、隣接するコンポーネントキャリア、あるいは同じＤＬ送信モードおよび／またはチャネル品質インジケータ（ＣＱＩ）報告モードで構成されるコンポーネントキャリア、のうちの少なくとも一方であり、
前記１つまたは複数のチャネル情報フィードバック報告をダウンリンク送信のために使用することと、
を備える方法。
【請求項２５】
前記１つまたは複数のチャネル情報フィードバック報告パラメータは、サブバンドサイズ、帯域幅パート、または報告するためのサブバンドの好適な数のうちの少なくとも１つを備える、請求項２４記載の方法。
【請求項２６】
前記１つまたは複数のチャネル情報フィードバック報告は、ユーザ機器選択サブバンドチャネル品質インジケータ（ＣＱＩ）報告を備える、請求項２４記載の方法。
【請求項２７】
送信することは、物理アップリンク共有チャネルを使用して前記ＣＱＩ報告を送信することを備える、請求項２６記載の方法。
【請求項２８】
送信することは、物理アップリンク制御チャネルを使用して前記ＣＱＩ報告を送信することを備える、請求項２６記載の方法。
【請求項２９】
前記少なくとも１つの集約チャネル情報フィードバック報告を生成することは、ＵＥごとに動作可能にされる、請求項２４に記載の方法。
【請求項３０】
複数のＭ個のコンポーネントキャリアは１つまたは複数のコンポーネントキャリアのセットに分割され、前記決定することは、各セットについて１つまたは複数のチャネル情報フィードバック報告パラメータを決定することを備える、請求項２４記載の方法。
【請求項３１】
マルチキャリアシステムにおいてチャネル品質を報告するための装置であって、
１つのアップリンク（ＵＬ）コンポーネントキャリアと非対称に構成された複数のダウンリンク（ＤＬ）コンポーネントキャリアの総ＤＬ帯域幅に基づいて１つまたは複数のチャネル情報フィードバック報告パラメータを決定するための論理と、
前記１つまたは複数のチャネル情報フィードバック報告パラメータを前記複数のＤＬコンポーネントキャリア上でＵＥに送信するための論理と、
前記複数のＤＬコンポーネントキャリア上で、前記複数のＤＬコンポーネントキャリアについての１つまたは複数のチャネル情報フィードバック報告を受信するための論理と、各チャネル情報フィードバック報告は前記１つまたは複数のチャネル情報フィードバック報告パラメータに従って生成され、前記１つまたは複数のチャネル情報フィードバック報告は、前記複数のＤＬコンポーネントキャリアのうちの少なくとも２つについて少なくとも１つの集約チャネル情報フィードバック報告を備え、前記少なくとも２つのＤＬコンポーネントキャリアは、隣接するコンポーネントキャリア、あるいは同じＤＬ送信モードおよび／またはチャネル品質インジケータ（ＣＱＩ）報告モードで構成されるコンポーネントキャリア、のうちの少なくとも一方であり、
前記１つまたは複数のチャネル情報フィードバック報告をダウンリンク送信のために使用するための論理と、
を備える装置。
【請求項３２】
前記１つまたは複数のチャネル情報フィードバック報告パラメータは、サブバンドサイズ、帯域幅パート、または報告するためのサブバンドの好適な数のうちの少なくとも１つを備える、請求項３１記載の装置。
【請求項３３】
前記１つまたは複数のチャネル情報フィードバック報告は、ユーザ機器選択サブバンドチャネル品質インジケータ（ＣＱＩ）報告を備える、請求項３１記載の装置。
【請求項３４】
送信するための論理は、物理アップリンク共有チャネルを使用して前記ＣＱＩ報告を送信するための論理を備える、請求項３３記載の装置。
【請求項３５】
送信するための論理は、物理アップリンク制御チャネルを使用して前記ＣＱＩ報告を送信するための論理を備える、請求項３３記載の装置。
【請求項３６】
複数のＭ個のコンポーネントキャリアは１つまたは複数のコンポーネントキャリアのセットに分割され、前記決定することは、各セットについて１つまたは複数のチャネル情報フィードバック報告パラメータを決定することを備える、請求項３１記載の装置。
【請求項３７】
マルチキャリアシステムにおいてチャネル品質を報告するための装置であって、
１つのアップリンク（ＵＬ）コンポーネントキャリアと非対称に構成された複数のダウンリンク（ＤＬ）コンポーネントキャリアの総ＤＬ帯域幅に基づいて１つまたは複数のチャネル情報フィードバック報告パラメータを決定するための手段と、
前記１つまたは複数のチャネル情報フィードバック報告パラメータを前記複数のＤＬコンポーネントキャリア上でＵＥに送信するための手段と、
前記複数のＤＬコンポーネントキャリア上で、前記複数のＤＬコンポーネントキャリアについて１つまたは複数のチャネル情報フィードバック報告を受信するための手段と、各チャネル情報フィードバック報告は前記１つまたは複数のチャネル情報フィードバック報告パラメータに従って生成され、前記１つまたは複数のチャネル情報フィードバック報告は、前記複数のＤＬコンポーネントキャリアのうちの少なくとも２つについて少なくとも１つの集約チャネル情報フィードバック報告を備え、前記少なくとも２つのＤＬコンポーネントキャリアは、隣接するコンポーネントキャリア、あるいは同じＤＬ送信モードおよび／またはチャネル品質インジケータ（ＣＱＩ）報告モードで構成されるコンポーネントキャリア、のうちの少なくとも一方であり、
前記１つまたは複数のチャネル情報フィードバック報告をダウンリンク送信のために使用するための手段と、
を備える装置。
【請求項３８】
前記１つまたは複数のチャネル情報フィードバック報告パラメータは、サブバンドサイズ、帯域幅パート、または報告するためのサブバンドの好適な数のうちの少なくとも１つを備える、請求項３７記載の装置。
【請求項３９】
前記１つまたは複数のチャネル情報フィードバック報告は、ユーザ機器選択サブバンドチャネル品質インジケータ（ＣＱＩ）報告を備える、請求項３７記載の装置。
【請求項４０】
前記送信するための手段は、物理アップリンク共有チャネルを使用して前記ＣＱＩ報告を送信するための手段を備える、請求項３９記載の装置。
【請求項４１】
前記送信するための手段は、物理アップリンク制御チャネルを使用して前記ＣＱＩ報告を送信するための手段を備える、請求項３９記載の装置。
【請求項４２】
複数のＭ個のコンポーネントキャリアは１つまたは複数のコンポーネントキャリアのセットに分割され、前記決定することは、各セットについての１つまたは複数のチャネル情報フィードバック報告パラメータを決定することを備える、請求項３７記載の装置。
【請求項４３】
マルチキャリアシステムにおいてチャネル品質を報告するためのコンピュータプログラムであって、前記コンピュータプログラムは、１つまたは複数のプロセッサに、
１つのアップリンク（ＵＬ）コンポーネントキャリアと非対称に構成された複数のダウンリンク（ＤＬ）コンポーネントキャリアの総ＤＬ帯域幅に基づいて１つまたは複数のチャネル情報フィードバック報告パラメータを決定することと、
前記１つまたは複数のチャネル情報フィードバック報告パラメータを前記複数のＤＬコンポーネントキャリア上でＵＥに送信することと、
前記複数のＤＬコンポーネントキャリア上で、前記複数のＤＬコンポーネントキャリアについての１つまたは複数のチャネル情報フィードバック報告を受信することと、各チャネル情報フィードバック報告は前記１つまたは複数のチャネル情報フィードバック報告パラメータに従って生成され、前記１つまたは複数のチャネル情報フィードバック報告は、前記複数のＤＬコンポーネントキャリアのうちの少なくとも２つについて少なくとも１つの集約チャネル情報フィードバック報告を備え、前記少なくとも２つのＤＬコンポーネントキャリアは、隣接するコンポーネントキャリア、あるいは同じＤＬ送信モードおよび／またはチャネル品質インジケータ（ＣＱＩ）報告モードで構成されるコンポーネントキャリア、のうちの少なくとも一方であり、
前記１つまたは複数のチャネル情報フィードバック報告をダウンリンク送信のために使用することと、
を実行させるコンピュータプログラム。
【請求項４４】
マルチキャリアシステムにおいてチャネル品質を報告するための装置であって、
１つのアップリンク（ＵＬ）コンポーネントキャリアと非対称に構成された複数のダウンリンク（ＤＬ）コンポーネントキャリアの総ＤＬ帯域幅に基づいて１つまたは複数のチャネル情報フィードバック報告パラメータを決定することと、
前記１つまたは複数のチャネル情報フィードバック報告パラメータを前記複数のＤＬコンポーネントキャリア上でＵＥに送信することと、
前記複数のＤＬコンポーネントキャリア上で、前記複数のＤＬコンポーネントキャリアについての１つまたは複数のチャネル情報フィードバック報告を受信することと、各チャネル情報フィードバック報告が前記１つまたは複数のチャネル情報フィードバック報告パラメータに従って生成され、前記１つまたは複数のチャネル情報フィードバック報告は、前記複数のＤＬコンポーネントキャリアのうちの少なくとも２つについて少なくとも１つの集約チャネル情報フィードバック報告を備え、前記少なくとも２つのＤＬコンポーネントキャリアは、隣接するコンポーネントキャリア、あるいは同じＤＬ送信モードおよび／またはチャネル品質インジケータ（ＣＱＩ）報告モードで構成されるコンポーネントキャリア、のうちの少なくとも一方であり、
前記１つまたは複数のチャネル情報フィードバック報告をダウンリンク送信のために使用することと、
を行うように構成された少なくとも１つのプロセッサと、
前記少なくとも１つのプロセッサに結合されたメモリと、
を備える装置。
【発明の詳細な説明】
【優先権の主張】
【０００１】
米国特許法第１１９条に基づく優先権の主張
本特許出願は、本出願の譲受人に譲渡され、参照により本明細書に明確に組み込まれる、２００９年６月１０日に出願された仮出願第６１／１８５，９１３号の利益を主張する。
【技術分野】
【０００２】
本開示のいくつかの態様は、一般にワイヤレス通信に関し、より詳細には、高度ワイヤレス通信システムにおけるフィードバック情報の通信のための方法に関する。
【背景技術】
【０００３】
ワイヤレス通信システムは、ボイス、データなど様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、３rd  Ｇｅｎｅｒａｔｉｏｎ  Ｐａｒｔｎｅｒｓｈｉｐ  Ｐｒｏｊｅｃｔ  （３ＧＰＰ）Ｌｏｎｇ  Ｔｅｒｍ  Ｅｖｏｌｕｔｉｏｎ（ＬＴＥ）システム、および直交周波数分割多元接続（ＯＦＤＭＡ）システムがある。
【０００４】
概して、ワイヤレス多元接続通信システムは、複数のワイヤレス端末のための通信を同時にサポートすることができる。各端末は、順方向リンクおよび逆方向リンク上での伝送によって１つまたは複数の基地局と通信する。順方向リンク（またはダウンリンク）とは、基地局から端末への通信リンクを指し、逆方向リンク（またはアップリンク）とは、端末から基地局への通信リンクを指す。この通信リンクは、単入力単出力、多入力単出力、または多入力多出力（ＭＩＭＯ）システムを介して確立され得る。
【０００５】
ＭＩＭＯシステムは、データ伝送のために複数（ＮT）個の送信アンテナと複数（ＮR）個の受信アンテナとを使用する。ＮT個の送信アンテナとＮR個の受信アンテナとよって形成されるＭＩＭＯチャネルは、空間チャネルと呼ばれることもあるＮS個の独立チャネルに分解され得、ＮS≦ｍｉｎ｛ＮT，ＮR｝である。ＮS個の独立チャネルの各々は１つの次元に対応する。ＭＩＭＯシステムは、複数の送信アンテナと受信アンテナとによって生成された追加の次元数が利用された場合、改善されたパフォーマンス（たとえば、より高いスループットおよび／またはより大きい信頼性）を与えることができる。
【発明の概要】
【０００６】
いくつかの態様は、マルチキャリアシステムにおいてチャネル品質を報告するための方法を提供する。本方法は、概して、１つまたは複数のチャネル情報フィードバック報告パラメータを受信することと、チャネル情報フィードバック報告パラメータは、少なくとも１つのアップリンク（ＵＬ）コンポーネントキャリアに関連する複数のダウンリンク（ＤＬ）コンポーネントキャリアの総ＤＬ帯域幅に基づいて決定され、ＤＬコンポーネントキャリアについての１つまたは複数のチャネル情報フィードバック報告を生成することと、各チャネル情報フィードバック報告は１つまたは複数のチャネル情報フィードバック報告パラメータに従って生成され、１つまたは複数のチャネル情報フィードバック報告を少なくとも１つのＵＬコンポーネントキャリア上でｅノードＢに送信することと、を含む。
【０００７】
いくつかの態様は、マルチキャリアシステムにおいてチャネル品質を報告するための装置を提供する。本装置は、概して、１つまたは複数のチャネル情報フィードバック報告パラメータを受信するための論理と、チャネル情報フィードバック報告パラメータは、少なくとも１つのアップリンク（ＵＬ）コンポーネントキャリアに関連する複数のダウンリンク（ＤＬ）コンポーネントキャリアの総ＤＬ帯域幅に基づいて決定され、ＤＬコンポーネントキャリアについての１つまたは複数のチャネル情報フィードバック報告を生成するための論理と、各チャネル情報フィードバック報告は１つまたは複数のチャネル情報フィードバック報告パラメータに従って生成され、１つまたは複数のチャネル情報フィードバック報告を少なくとも１つのＵＬコンポーネントキャリア上でｅノードＢに送信するための論理と、を含む。
【０００８】
いくつかの態様は、マルチキャリアシステムにおいてチャネル品質を報告するための装置を提供する。本装置は、概して、１つまたは複数のチャネル情報フィードバック報告パラメータを受信する手段と、チャネル情報フィードバック報告パラメータは、少なくとも１つのアップリンク（ＵＬ）コンポーネントキャリアに関連する複数のダウンリンク（ＤＬ）コンポーネントキャリアの総ＤＬ帯域幅に基づいて決定され、ＤＬコンポーネントキャリアについての１つまたは複数のチャネル情報フィードバック報告を生成する手段と、各チャネル情報フィードバック報告は１つまたは複数のチャネル情報フィードバック報告パラメータに従って生成され、１つまたは複数のチャネル情報フィードバック報告を少なくとも１つのＵＬコンポーネントキャリア上でｅノードＢに送信する手段と、を含む。
【０００９】
いくつかの態様は、マルチキャリアシステムにおいてチャネル品質を報告するためのコンピュータプログラム製品を提供し、このコンピュータプログラム製品は、１つまたは複数のプロセッサによって実行可能な命令が記憶されたコンピュータ可読媒体を備える。本命令は、概して、１つまたは複数のチャネル情報フィードバック報告パラメータを受信するための命令と、チャネル情報フィードバック報告パラメータは、少なくとも１つのアップリンク（ＵＬ）コンポーネントキャリアに関連する複数のダウンリンク（ＤＬ）コンポーネントキャリアの総ＤＬ帯域幅に基づいて決定され、ＤＬコンポーネントキャリアについての１つまたは複数のチャネル情報フィードバック報告を生成するための命令と、各チャネル情報フィードバック報告は１つまたは複数のチャネル情報フィードバック報告パラメータに従って生成され、１つまたは複数のチャネル情報フィードバック報告を少なくとも１つのＵＬコンポーネントキャリア上でｅノードＢに送信するための命令と、を含む。
【００１０】
いくつかの態様は、少なくとも１つのプロセッサと、当該少なくとも１つのプロセッサに結合されたメモリとを備える、マルチキャリアシステムにおいてチャネル品質を報告するための装置を提供する。本プロセッサは、概して、１つまたは複数のチャネル情報フィードバック報告パラメータを受信することと、チャネル情報フィードバック報告パラメータは、少なくとも１つのアップリンク（ＵＬ）コンポーネントキャリアに関連する複数のダウンリンク（ＤＬ）コンポーネントキャリアの総ＤＬ帯域幅に基づいて決定され、ＤＬコンポーネントキャリアについての１つまたは複数のチャネル情報フィードバック報告を生成することと、各チャネル情報フィードバック報告は１つまたは複数のチャネル情報フィードバック報告パラメータに従って生成され、１つまたは複数のチャネル情報フィードバック報告を少なくとも１つのＵＬコンポーネントキャリア上でｅノードＢに送信することと、を行うように構成される。
【００１１】
いくつかの態様は、マルチキャリアシステムにおいてチャネル品質を報告するための方法を提供する。本方法は、概して、少なくとも１つのアップリンク（ＵＬ）コンポーネントキャリアに関連する複数のダウンリンク（ＤＬ）コンポーネントキャリアの総ＤＬ帯域幅に基づいて１つまたは複数のチャネル情報フィードバック報告パラメータを決定することと、１つまたは複数のチャネル情報フィードバック報告パラメータをＤＬコンポーネントキャリア上でＵＥに送信することと、ＤＬコンポーネントキャリアについての１つまたは複数のチャネル情報フィードバック報告を受信することと、各チャネル情報フィードバック報告は１つまたは複数のチャネル情報フィードバック報告パラメータに従って生成され、１つまたは複数のチャネル情報フィードバック報告をダウンリンク送信のために使用することと、を含む。
【００１２】
いくつかの態様は、マルチキャリアシステムにおいてチャネル品質を報告するための装置を提供する。本装置は、概して、少なくとも１つのアップリンク（ＵＬ）コンポーネントキャリアに関連する複数のダウンリンク（ＤＬ）コンポーネントキャリアの総ＤＬ帯域幅に基づいて１つまたは複数のチャネル情報フィードバック報告パラメータを決定するための論理と、１つまたは複数のチャネル情報フィードバック報告パラメータをＤＬコンポーネントキャリア上でＵＥに送信するための論理と、ＤＬコンポーネントキャリアについての１つまたは複数のチャネル情報フィードバック報告を受信するための論理と、各チャネル情報フィードバック報告は１つまたは複数のチャネル情報フィードバック報告パラメータに従って生成され、１つまたは複数のチャネル情報フィードバック報告をダウンリンク送信のために使用するための論理と、を含む。
【００１３】
いくつかの態様は、マルチキャリアシステムにおいてチャネル品質を報告するための装置を提供する。本装置は、概して、少なくとも１つのアップリンク（ＵＬ）コンポーネントキャリアに関連する複数のダウンリンク（ＤＬ）コンポーネントキャリアの総ＤＬ帯域幅に基づいて１つまたは複数のチャネル情報フィードバック報告パラメータを決定するための手段と、１つまたは複数のチャネル情報フィードバック報告パラメータをＤＬコンポーネントキャリア上でＵＥに送信するための手段と、ＤＬコンポーネントキャリアについての１つまたは複数のチャネル情報フィードバック報告を受信するための手段と、各チャネル情報フィードバック報告は１つまたは複数のチャネル情報フィードバック報告パラメータに従って生成され、１つまたは複数のチャネル情報フィードバック報告をダウンリンク送信のために使用するための手段と、を含む。
【００１４】
いくつかの態様は、マルチキャリアシステムにおいてチャネル品質を報告するためのコンピュータプログラム製品を提供し、このコンピュータプログラム製品は、１つまたは複数のプロセッサによって実行可能な命令が記憶されたコンピュータ可読媒体を備える。本命令は、概して、少なくとも１つのアップリンク（ＵＬ）コンポーネントキャリアに関連する複数のダウンリンク（ＤＬ）コンポーネントキャリアの総ＤＬ帯域幅に基づいて１つまたは複数のチャネル情報フィードバック報告パラメータを決定するための命令と、１つまたは複数のチャネル情報フィードバック報告パラメータをＤＬコンポーネントキャリア上でＵＥに送信するための命令と、ＤＬコンポーネントキャリアについての１つまたは複数のチャネル情報フィードバック報告を受信するための命令と、各チャネル情報フィードバック報告は１つまたは複数のチャネル情報フィードバック報告パラメータに従って生成され、１つまたは複数のチャネル情報フィードバック報告をダウンリンク送信のために使用するための命令と、を含む。
【００１５】
いくつかの態様は、少なくとも１つのプロセッサと、少なくとも１つのプロセッサに結合されたメモリとを備える、マルチキャリアシステムにおいてチャネル品質を報告するための装置を提供する。本プロセッサは、概して、少なくとも１つのアップリンク（ＵＬ）コンポーネントキャリアに関連する複数のダウンリンク（ＤＬ）コンポーネントキャリアの総ＤＬ帯域幅に基づいて１つまたは複数のチャネル情報フィードバック報告パラメータを決定することと、１つまたは複数のチャネル情報フィードバック報告パラメータをＤＬコンポーネントキャリア上でＵＥに送信することと、ＤＬコンポーネントキャリアのための１つまたは複数のチャネル情報フィードバック報告を受信することと、各チャネル情報フィードバック報告は１つまたは複数のチャネル情報フィードバック報告パラメータに従って生成され、１つまたは複数のチャネル情報フィードバック報告をダウンリンク送信のために使用することと、を行うように構成される。
【００１６】
本開示の上述の特徴を詳細に理解することができるように、添付の図面にその一部を示す態様を参照することによって、上記で簡単に要約したより具体的な説明を得ることがある。ただし、その説明は他の等しく有効な態様に通じ得るので、添付の図面は、本開示のいくつかの典型的な態様のみを示し、したがって、その範囲を限定するものと見なすべきではないことに留意されたい。
【図面の簡単な説明】
【００１７】
【図１】本開示のいくつかの態様による、例示的な多元接続ワイヤレス通信システムを示す図。
【図２】本開示のいくつかの態様による、アクセスポイントおよびユーザ端末のブロック図。
【図３】本開示のいくつかの態様による、ワイヤレスデバイスにおいて利用され得る様々な構成要素を示す図。
【図４】本開示のいくつかの態様による例示的なアップリンクおよびダウンリンクコンポーネントキャリアを示すブロック図。
【図５】本開示のいくつかの態様による例示的なアップリンクおよびダウンリンクコンポーネントキャリアを示す別のブロック図。
【図６】本開示のいくつかの態様による、アクセス端末によって実行され得る例示的な動作を示す図。
【図７】本開示のいくつかの態様による、アクセスポイントによって実行され得る例示的な動作を示す図。
【図８】本開示のいくつかの態様による例示的なアップリンクおよびダウンリンクコンポーネントキャリアを示すブロック図。
【発明を実施するための形態】
【００１８】
添付の図面を参照しながら本開示の様々な態様について以下でより十分に説明する。ただし、本開示は、多くの異なる形態で実施され得るものであり、本開示全体にわたって提示する任意の特定の構造または機能に限定されるものと解釈すべきではない。むしろ、これらの態様は、本開示が周到で完全になり、本開示の範囲を当業者に十分に伝えるために与えるものである。本明細書の教示に基づいて、本開示の範囲は、本開示の他の態様とは無関係に実装されるにせよ、本開示の他の態様と組み合わせて実装されるにせよ、本明細書で開示する本開示のいかなる態様をもカバーするものであることを、当業者なら諒解されたい。たとえば、本明細書に記載の態様をいくつ使用しても、装置を実装し得、または方法を実施し得る。さらに、本開示の範囲は、本明細書に記載の本開示の様々な態様に加えてまたはそれらの態様以外に、他の構造、機能、または構造および機能を使用して実施されるそのような装置またはそのような方法をカバーするものとする。本明細書で開示する本開示の任意の態様が請求項の１つまたは複数の要素によって実施され得ることを理解されたい。
【００１９】
「例示的」という単語は、本明細書では「例、事例、または例示の働きをすること」を意味するために使用する。「例示的」として本明細書で説明するいかなる態様も、必ずしも他の態様よりも好適または有利なものと解釈すべきではない。
【００２０】
本明細書では特定の態様について説明するが、これらの態様の多くの変形体および置換は本開示の範囲内に入る。好ましい態様のいくつかの利益および利点について説明するが、本開示の範囲は特定の利益、使用、または目的に限定されるものではない。むしろ、本開示の態様は、様々なワイヤレス技術、システム構成、ネットワーク、および送信プロトコルに広く適用可能であるものとし、そのうちのいくつかを例として図および好ましい態様についての以下の説明で示す。発明を実施するための形態および図面は、限定的なものではなく本開示を説明するものにすぎず、本開示の範囲は添付の特許請求の範囲およびその均等物によって規定される。
【００２１】
例示的なワイヤレス通信システム
本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど様々なワイヤレス通信ネットワークに対して使用され得る。「ネットワーク」および「システム」という用語は、しばしば互換的に使用される。ＣＤＭＡネットワークは、汎用地上波無線アクセス（ＵＴＲＡ）、ＣＤＭＡ２０００などの無線技術を実装し得る。ＵＴＲＡは、Ｗｉｄｅｂａｎｄ−ＣＤＭＡ（Ｗ−ＣＤＭＡ）および低チップレート（ＬＣＲ）を含む。ＣＤＭＡ２０００は、ＩＳ−２０００、ＩＳ−９５、およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装し得る。ＯＦＤＭＡネットワークは、Ｅｖｏｌｖｅｄ  ＵＴＲＡ（「Ｅ−ＵＴＲＡ」）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装し得る。ＵＴＲＡ、Ｅ−ＵＴＲＡおよびＧＳＭはユニバーサル移動体通信システム（ＵＭＴＳ）の一部である。Ｌｏｎｇ  Ｔｅｒｍ  Ｅｖｏｌｕｔｉｏｎ（ＬＴＥ）は、Ｅ−ＵＴＲＡを使用するＵＭＴＳの今度のリリースである。ＵＴＲＡ、Ｅ−ＵＴＲＡ、ＧＳＭ、ＵＭＴＳおよびＬＴＥは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ＣＤＭＡ２０００は「３ｒｄ  Ｇｅｎｅｒａｔｉｏｎ  Ｐａｒｔｎｅｒｓｈｉｐ  Ｐｒｏｊｅｃｔ２」（３ＧＰＰ２）という名称の組織からの文書に記載されている。
【００２２】
シングルキャリア周波数分割多元接続（ＳＣ−ＦＤＭＡ）は、送信機側でシングルキャリア変調を利用し、受信機側で周波数領域等化を利用する１つの送信技法である。ＳＣ−ＦＤＭＡは、ＯＦＤＭＡシステムと同様の性能および本質的に同じ全体的な複雑さを有する。ただし、ＳＣ−ＦＤＭＡ信号は、その特有のシングルキャリア構造のためにより低いピーク対平均電力比（ＰＡＰＲ）を有する。ＳＣ−ＦＤＭＡは特に、より低いＰＡＰＲが送信電力効率の点でモバイル端末に大幅な利益を与えるアップリンク通信において大きい注目を引いている。それは現在、３ＧＰＰ  ＬＴＥおよびＥｖｏｌｖｅｄ  ＵＴＲＡにおけるアップリンク多元接続方式に関する実用的な前提である。
【００２３】
アクセスポイント（「ＡＰ」）は、ノードＢ、無線ネットワークコントローラ（「ＲＮＣ」）、進化型ノードＢまたはｅノードＢ、基地局コントローラ（「ＢＳＣ」）、ベーストランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらのいずれかとして実装されるか、あるいはそれらのいずれかとして知られていることがある。
【００２４】
アクセス端末（「ＡＴ」）は、アクセス端末、加入者局、加入者ユニット、移動局、リモート局、リモート端末、ユーザ端末、ユーザエージェント、ユーザデバイス、ユーザ機器（「ＵＥ」）、ユーザ局、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、局（ＳＴＡ）、またはワイヤレスモデムに接続された何らかの他の好適な処理デバイスを備え得る。したがって、本明細書で教示する１つまたは複数の態様は、電話（たとえば、セルラー電話またはスマートフォン）、コンピュータ（たとえば、ラップトップ）、ポータブル通信デバイス、ポータブルコンピューティングデバイス（たとえば、個人情報端末）、娯楽デバイス（たとえば、音楽またはビデオデバイス、あるいは衛星ラジオ）、全地球測位システムデバイス、あるいはワイヤレスまたはワイヤード媒体を介して通信するように構成された他の好適なデバイスに組み込まれ得る。いくつかの態様では、ノードはワイヤレスノードである。たとえば、そのようなワイヤレスノードは、ワイヤードまたはワイヤレス通信リンクを介した、ネットワーク（たとえば、インターネットまたはセルラーネットワークなど、ワイドエリアネットワーク）のための、またはネットワークへの接続性を与え得る。
【００２５】
図１を参照すると、一態様による多元接続ワイヤレス通信システムが示されている。アクセスポイント１００（ＡＰ）は複数のアンテナグループを含み、あるアンテナグループはアンテナ１０４と１０６とを含み、別のアンテナグループはアンテナ１０８と１１０とを含み、追加のアンテナグループはアンテナ１１２と１１４とを含む。図１では、アンテナグループごとに２つのアンテナのみが示されているが、アンテナグループごとにより多いまたはより少ないアンテナが利用され得る。アクセス端末１１６（ＡＴ）はアンテナ１１２および１１４と通信中であり得、アンテナ１１２および１１４は、順方向リンク１２０上でアクセス端末１１６に情報を送信し、逆方向リンク１１８上でアクセス端末１１６から情報を受信する。アクセス端末１２２はアンテナ１０６および１０８と通信中であり得、アンテナ１０６および１０８は、順方向リンク１２６上でアクセス端末１２２に情報を送信し、逆方向リンク１２４上でアクセス端末１２２から情報を受信する。ＦＤＤシステムでは、通信リンク１１８、１２０、１２４および１２６は、通信のための異なる周波数を使用し得る。たとえば、順方向リンク１２０は、逆方向リンク１１８によって使用される周波数とは異なる周波数を使用し得る。
【００２６】
アンテナの各グループ、および／またはアンテナが通信するために設計されたエリアは、しばしば、アクセスポイントのセクタと呼ばれる。本開示の一態様では、アンテナグループはそれぞれ、アクセスポイント１００によってカバーされるエリアのセクタ内でアクセス端末に通信するように設計され得る。
【００２７】
順方向リンク１２０および１２６上の通信では、アクセスポイント１００の送信アンテナは、異なるアクセス端末１１６および１２４に対して順方向リンクの信号対雑音比を改善するためにビーム形成を利用し得る。また、アクセスポイントが、ビームフォーミングを使用して、そのカバレージ中にランダムに分散されたアクセス端末に送信するほうが、アクセスポイントが単一のアンテナを介してすべてのそのアクセス端末に送信するよりも、隣接セル中のアクセス端末への干渉が小さくなる。
【００２８】
図２に、多入力多出力（ＭＩＭＯ）システム２００における送信機システム２１０（アクセスポイントとしても知られる）および受信機システム２５０（アクセス端末としても知られる）の実施形態のブロック図を示す。送信機システム２１０において、いくつかのデータストリームのトラフィックデータがデータソース２１２から送信（ＴＸ）データプロセッサ２１４に供給される。
【００２９】
本開示の一態様では、各データストリームは、それぞれの送信アンテナを介して送信され得る。ＴＸデータプロセッサ２１４は、符号化データを与えるために、各データストリームのトラフィックデータを、そのデータストリーム用に選択された特定の符号化方式に基づいてフォーマットし、符号化し、インターリーブする。
【００３０】
各データストリームの符号化データは、ＯＦＤＭ技法を使用してパイロットデータで多重化される。パイロットデータは、典型的には、既知の方法で処理される既知のデータパターンであり、チャネル応答を推定するために受信機システムにおいて使用される。次いで、各データストリームの多重化されたパイロットデータおよび符号化データは、変調シンボルを供給するために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータレート、符号化、および変調は、プロセッサ２３０によって実行される命令によって決定され得る。
【００３１】
次いで、すべてのデータストリームの変調シンボルがＴＸ  ＭＩＭＯプロセッサ２２０に供給され、ＴＸ  ＭＩＭＯプロセッサ２２０はさらに（たとえば、ＯＦＤＭ用に）その変調シンボルを処理し得る。次いで、ＴＸ  ＭＩＭＯプロセッサ２２０はＮT個の変調シンボルストリームをＮT個の送信機（ＴＭＴＲ）２２２ａ〜２２２ｔに供給する。本開示のいくつかの態様では、ＴＸ  ＭＩＭＯプロセッサ２２０は、データストリームのシンボルと、シンボルの送信元のアンテナとにビームフォーミング重みを適用する。
【００３２】
各送信機２２２は、それぞれのシンボルストリームを受信し、処理して、１つまたは複数のアナログ信号を供給し、さらに、それらのアナログ信号を調整（たとえば、増幅、フィルタ処理、およびアップコンバート）して、ＭＩＭＯチャネルを介して送信するのに適した変調信号を供給する。次いで、送信機２２２ａ〜２２２ｔからのＮT個の変調信号は、それぞれＮT個のアンテナ２２４ａ〜２２４ｔから送信される。
【００３３】
受信機システム２５０では、送信された変調信号はＮR個のアンテナ２５２ａ〜２５２ｒによって受信され得、各アンテナ２５２からの受信信号は、それぞれの受信機（ＲＣＶＲ）２５４ａ〜２５４ｒに供給され得る。各受信機２５４は、それぞれの受信信号を調整（たとえば、フィルタ処理、増幅、およびダウンコンバート）し、調整された信号をデジタル化して、サンプルを供給し、さらにそれらのサンプルを処理して、対応する「受信」シンボルストリームを供給する。
【００３４】
次いで、ＲＸデータプロセッサ２６０は、ＮR個の受信機２５４からＮR個の受信シンボルストリームを受信し、特定の受信機処理技法に基づいて処理して、ＮT個の「検出」シンボルストリームを供給する。次いで、ＲＸデータプロセッサ２６０は、各検出シンボルストリームを復調し、デインターリーブし、復号して、データストリームに対するトラフィックデータを回復する。ＲＸデータプロセッサ２６０による処理は、送信機システム２１０におけるＴＸ  ＭＩＭＯプロセッサ２２０およびＴＸデータプロセッサ２１４によって実行される処理と相補的である。
【００３５】
プロセッサ２７０は、どのプリコーディング行列を使用すべきかを定期的に決定する。プロセッサ２７０は、行列インデックス部とランク値部とを備える逆方向リンクメッセージを作成する。逆方向リンクメッセージは、通信リンクおよび／または受信データストリームに関する様々なタイプの情報を備える。次いで、逆方向リンクメッセージは、データソース２３６からいくつかのデータストリームのトラフィックデータをも受信するＴＸデータプロセッサ２３８によって処理され、変調器２８０によって変調され、送信機２５４ａ〜２５４ｒによって調整され、送信機システム２１０に返送される。
【００３６】
送信機システム２１０において、受信機システム２５０からの変調信号は、アンテナ２２４によって受信され、受信機２２２によって調整され、復調器２４０によって復調され、ＲＸデータプロセッサ２４２によって処理されて、受信機システム２５０によって送信された逆方向リンクメッセージを抽出する。次いで、プロセッサ２３０は、ビームフォーミング重みを決定するためにどのプリコーディング行列を使用すべきかを決定し、抽出されたメッセージを処理する。
【００３７】
図３に、図１に示すワイヤレス通信システム内で採用され得るワイヤレスデバイス３０２において利用される様々な構成要素を示す。ワイヤレスデバイス３０２は、本明細書で説明する様々な方法を実装するように構成されるデバイスの一例である。ワイヤレスデバイス３０２は基地局１００、またはユーザ端末１１６および１２２である。
【００３８】
ワイヤレスデバイス３０２は、ワイヤレスデバイス３０２の動作を制御するプロセッサ３０４を含む。プロセッサ３０４は中央処理装置（ＣＰＵ）と呼ばれることもある。読取り専用メモリ（ＲＯＭ）とランダムアクセスメモリ（ＲＡＭ）の両方を含むメモリ３０６は、命令とデータとをプロセッサ３０４に与える。メモリ３０６の一部は不揮発性ランダムアクセスメモリ（ＮＶＲＡＭ）をも含み得る。プロセッサ３０４は一般に、メモリ３０６内に記憶されたプログラム命令に基づいて、論理および演算動作を実行する。メモリ３０６中の命令は、本明細書で説明する方法を実装するために実行可能である。
【００３９】
ワイヤレスデバイス３０２はまた、ワイヤレスデバイス３０２と遠隔地との間のデータの送信および受信を可能にするために送信機３１０と受信機３１２とを含むことができるハウジング３０８を含む。送信機３１０と受信機３１２とを組み合わせてトランシーバ３１４を形成する。単一または複数の送信アンテナ３１６は、ハウジング３０８に取り付けられ、トランシーバ３１４に電気的に結合される。ワイヤレスデバイス３０２は、複数の送信機、複数の受信機、複数のトランシーバをも含むことができる（図示せず）。
【００４０】
ワイヤレスデバイス３０２は、トランシーバ３１４によって受信された信号のレベルを検出および定量化するために使用できる信号検出器３１８をも含む。信号検出器３１８は、総エネルギー、シンボルごとのサブキャリア当たりのエネルギー、電力スペクトル密度および他の信号などの信号を検出する。ワイヤレスデバイス３０２は、信号を処理する際に使用するためのデジタル信号プロセッサ（ＤＳＰ）３２０をも含む。
【００４１】
ワイヤレスデバイス３０２の様々な構成要素は、データバスに加えて、パワーバス、制御信号バス、およびステータス信号バスを含むことができるバスシステム３２２によって一緒に結合され得る。
【００４２】
本開示の一態様では、論理ワイヤレス通信チャネルは、制御チャネルとトラフィックチャネルとに分類され得る。論理制御チャネルは、システム制御情報をブロードキャストするためのダウンリンク（ＤＬ）チャネルであるブロードキャスト制御チャネル（ＢＣＣＨ）を備え得る。ページング制御チャネル（ＰＣＣＨ）は、ページング情報を転送するＤＬ論理制御チャネルである。マルチキャスト制御チャネル（ＭＣＣＨ）は、１つまたは複数のマルチキャストトラフィックチャネル（ＭＴＣＨ）についてのマルチメディアブロードキャストおよびマルチキャストサービス（ＭＢＭＳ）のスケジューリングおよび制御情報を送信するために使用されるポイントツーマルチポイントＤＬ論理制御チャネルである。概して、無線リソース制御（ＲＲＣ）接続を確立した後、ＭＣＣＨは、ＭＢＭＳを受信するユーザ端末によって使用されるだけである。専用制御チャネル（ＤＣＣＨ）は、専用制御情報を送信するポイントツーポイント双方向論理制御チャネルであり、ＲＲＣ接続を有するユーザ端末によって使用される。論理トラフィックチャネルは、ユーザ情報を転送するための１つのユーザ端末専用のポイントツーポイント双方向チャネルである専用トラフィックチャネル（ＤＴＣＨ）を備え得る。さらに、論理トラフィックチャネルは、トラフィックデータを送信するためのポイントツーマルチポイントＤＬチャネルであるマルチキャストトラフィックチャネル（ＭＴＣＨ）を備え得る。
【００４３】
トランスポートチャネルは、ＤＬチャネルとＵＬチャネルとに分類される。ＤＬトランスポートチャネルは、ブロードキャストチャネル（ＢＣＨ）、ダウンリンク共有データチャネル（ＤＬ−ＳＤＣＨ）、およびページングチャネル（ＰＣＨ）を備える。ＰＣＨは、ユーザ端末において節電をサポートするために利用され（すなわち、不連続受信（ＤＲＸ）サイクルがネットワークによってユーザ端末に示され）、セル全体にわたってブロードキャストされ、他の制御／トラフィックチャネルのために使用され得る物理レイヤ（ＰＨＹ）リソースにマッピングされ得る。ＵＬトランスポートチャネルは、ランダムアクセスチャネル（ＲＡＣＨ）、要求チャネル（ＲＥＱＣＨ）、アップリンク共有データチャネル（ＵＬ−ＳＤＣＨ）、および複数のＰＨＹチャネルを備える。
【００４４】
ＰＨＹチャネルは、ＤＬチャネルとＵＬチャネルとのセットを備える。ＤＬ  ＰＨＹチャネルは、共通パイロットチャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割当てチャネル（ＳＵＡＣＨ）、確認応答チャネル（ＡＣＫＣＨ）、ＤＬ物理共有データチャネル（ＤＬ−ＰＳＤＣＨ）、ＵＬ電力制御チャネル（ＵＰＣＣＨ）、ページングインジケータチャネル（ＰＩＣＨ）、負荷インジケータチャネル（ＬＩＣＨ）を備える。ＵＬ  ＰＨＹチャネルは、物理ランダムアクセスチャネル（ＰＲＡＣＨ）、チャネル品質インジケータチャネル（ＣＱＩＣＨ）、確認応答チャネル（ＡＣＫＣＨ）、アンテナサブセットインジケータチャネル（ＡＳＩＣＨ）、共有要求チャネル（ＳＲＥＱＣＨ）、ＵＬ物理共有データチャネル（ＵＬ−ＰＳＤＣＨ）、およびブロードバンドパイロットチャネル（ＢＰＩＣＨ）を備える。
【００４５】
共同のパラメータ決定と個別のＣＱＩ生成および報告
ｅノードＢは、ダウンリンクチャネル状態の指示としてＵＥによって送信されたチャネル情報フィードバックを使用する。一態様では、チャネル情報フィードバックはチャネル品質インジケータ（ＣＱＩ）報告を備える。ＣＱＩ報告は、一般に、ＵＥの受信機特性と信号対干渉雑音比（ＳＩＮＲ）とを考慮に入れて、チャネルによってサポートされるデータレートを示す。ＬＴＥ  Ｒｅｌ−８では、周期と非周期との２つタイプのＣＱＩ報告がある。ＮＢは、特に、アップリンクデータ送信用にスケジュールされたリソース中で個々のＣＱＩ報告を送るようにＵＥに命令するので、物理アップリンク共有チャネル（ＰＵＳＣＨ）が非周期ＣＱＩ報告のために使用される。
【００４６】
周期ＣＱＩ報告では、（１）広帯域フィードバックと（２）ＵＥ選択サブバンドフィードバックとの２つタイプのＣＱＩ報告が構成され得る。ｅノードＢは、要求されたＣＱＩ報告のタイプ、ならびに周期性および周波数分解能などの他の報告特性を構成し得る。広帯域報告を与えるために、ＵＥは全システム帯域幅についての広帯域ＣＱＩ値を計算する。ＵＥ選択サブバンド報告を与えるために、合計Ｎ個のサブバンドは、「帯域幅パート（bandwidth parts）」と呼ばれるＪ個の部分に分割され、各サブバンドはサイズｋを有する。ＵＥは、次いで、（報告されるサブバンドの対応するインデックスとともに）各帯域幅パート内の報告機会に対応するＣＱＩ値を計算し、報告する。帯域幅パートサイズＪとサブバンドサイズｋとは、表１によって要約されるように、システム帯域幅のサイズに依存する。
【表１】
0005475117.tif 000002
【００４７】
帯域幅パートサイズおよび帯域幅パート内のサブバンドサイズは、必ずしもサイズが一様でないことが認められる。たとえば、５ＭＨｚまたは２５個のリソースブロック（ＲＢ）を備えるシステム帯域幅では、７つのサブバンド、すなわち、４ＲＢのサイズを有する６つのサブバンドと、１ＲＢのサイズを有する１つのサブバンドとがある。さらに、２つの帯域幅パート、すなわち、各々４ＲＢの４つのサブバンドを備える第１の帯域幅パートと、３つのサブバンド（２つが４ＲＢ、１つが１ＲＢ）を備える第２の帯域幅パートとがある。
【００４８】
非周期報告では、（１）広帯域フィードバック（すなわち、「モード１−２」）、（２）上位レイヤ構成フィードバック（すなわち、ｅノードＢ構成サブバンドフィードバックまたは「モード３−０、モード３−１」）、および（３）ＵＥ選択サブバンドフィードバック（すなわち、「モード２−０、モード２−２」）の３つのタイプのＣＱＩ報告が構成され得る。広帯域報告では、サブバンドごとにプリコーディング行列インジケータ（ＰＭＩ）が報告され得る。上位レイヤ構成報告では、サブバンドごとのＣＱＩが報告され得る。広帯域および上位レイヤ構成報告のための所与の総システム帯域幅の対応するサブバンドサイズｋを以下の表２に要約する。
【表２】
0005475117.tif 000003
【００４９】
非周期ＵＥ選択サブバンド報告では、ＣＱＩ値は、ＵＥによって選択されたＭ個の好適なサブバンドの平均品質を反映して計算される。一態様では、Ｍ個の好適なサブバンドのＣＱＩが（好適なＭ個のサブバンドのインデックスとともに）報告され得る。ＵＥ選択サブバンド報告のためのサイズＭとサブバンドサイズｋとを以下の表３に要約する。
【表３】
0005475117.tif 000004
【００５０】
粒度（granularity）を報告することとオーバーヘッドを報告することとの間のトレードオフがあり得ることが認められる。したがって、サブバンドサイズｋ、および好適なサブバンドＭなど他のパラメータはシステム帯域幅に依存する（すなわち、システム帯域幅が大きいほど、サブバンドサイズは大きくなる。）
ＬＴＥ−Ａｄｖａｎｃｅｄでは、チャネル情報フィードバックが、Ｒｅｌ−８中に発見される共通基準信号（ＣＲＳ）ではなくチャネル状態情報基準信号（ＣＳＩ−ＲＳ）に基づき得ることがさらに認められる。さらに、本開示では、ＣＱＩ報告を生成することを備える、チャネル情報フィードバックを生成するための方法の一実施形態について説明するが、他の形態のチャネル情報フィードバックが使用され得ることが企図される。一態様では、チャネル情報フィードバックは、ＣＱＩ／ＰＭＩ／ＲＩを使用するＬＴＥ  Ｒｅｌ−８手法から、明示的または暗黙的チャネル情報フィードバックを含むように拡張される。
【００５１】
ＬＴＥ−Ａｄｖａｎｃｅｄでは、ＵＥは、ＤＬおよびＵＬにおけるマルチコンポーネントキャリアで構成され得る。その場合、コンポーネントキャリアの構成はＤＬとＵＬとにおいて対称であり得、ＣＱＩ報告構成は、上記で説明したＬＴＥ  Ｒｅｌ−８機構に従い得る。ただし、ＵＬコンポーネントキャリアのセットからの少なくとも１つのＵＬコンポーネントキャリアが、すべてのＤＬキャリアについてのＣＱＩフィードバックを搬送するように半静的に構成されることが可能である。ＣＱＩフィードバックを搬送するこのＵＬコンポーネントキャリアは、ＵＬプライマリ・コンポーネントキャリアとして示され得る。さらに、コンポーネントキャリアの構成はまた、ＤＬとＵＬとにおいて非対称であり得る。言い換えれば、少なくとも１つのＵＬコンポーネントキャリアは、複数のＤＬコンポーネントキャリアについてのチャネル情報フィードバックを与えるように構成され得る。すべてのこれらのシナリオでは、サブバンドサイズｋ、帯域幅パートＪ、および好適なサブバンドＭなどのパラメータに基づくＣＱＩ報告の生成と送信とがマルチコンポーネントキャリアネットワーク構成において実行され得る。
【００５２】
したがって、本開示の態様は、マルチプル・コンポーネントキャリア構成についてのＣＱＩ報告生成のためのメカニズムを与える。一態様では、複数の対称ＤＬおよびＵＬコンポーネントキャリアがＵＥのために構成され得る。一態様では、少なくとも１つのＵＬコンポーネントキャリアが複数のＤＬコンポーネントキャリアにチャネル情報フィードバックを報告するように、複数のＤＬコンポーネントキャリアが少なくとも１つのＵＬコンポーネントキャリアに関連し得る。一態様では、図４に示すように、ｎ＝１，．．．，Ｎに対して
【数１】
0005475117.tif 000005
【００５３】
によって示される、１つのＵＬコンポーネントキャリア４０４に関連するＮ個のコンポーネントキャリア４０２があり得る。
【数２】
0005475117.tif 000006
【００５４】
の帯域幅は
【数３】
0005475117.tif 000007
【００５５】
として示され、ＵＬに関連する総ＤＬ帯域幅は
【数４】
0005475117.tif 000008
【００５６】
として示される。一態様では、パラメータ決定は一緒に実行され得るが、ＣＱＩ生成および報告は個別に実行され得る。一態様によれば、サブバンドサイズｋと、帯域幅パートＪと、好適なＭのためのサブバンドの数Ｍとを備えるＣＱＩ報告パラメータは、上記で説明したように、少なくとも１つのＵＬに関連する総ＤＬ帯域幅ＢDLに基づいて決定され得る。ＣＱＩ報告（ならびにＰＭＩおよびランクインジケータ）の生成と送信とは、図５によって示されるように、ＤＬコンポーネントキャリアごとに実行され得る。
【００５７】
図６に、本開示の態様による、ＵＥによって実行され得る例示的な動作６００を示す。６０２において、ＵＥは１つまたは複数のＣＱＩ報告パラメータを受信し、ＣＱＩ報告パラメータは、少なくとも１つのＵＬコンポーネントキャリアに関連する複数のＤＬコンポーネントキャリアの総ＤＬ帯域幅に基づいて決定される。概して、ｅノードＢは、周期性および／または周波数分解能など、ＵＥがＣＱＩを報告するために使用すべきＣＱＩ報告パラメータを制御する。ＣＱＩパラメータは、チャネル品質を報告する粒度のレベルを示す。ＣＱＩパラメータは、サブバンドサイズｋ、帯域幅パートＪ、またはサブバンドの好適な数Ｍのうちの少なくとも１つを備え得る。
【００５８】
６０４において、ＵＥはＤＬコンポーネントキャリアについての１つまたは複数のＣＱＩ報告を生成し、各ＣＱＩ報告は１つまたは複数のＣＱＩ報告パラメータに従って生成される。一態様では、ＣＱＩは、広帯域ＣＱＩ報告、上位レイヤ構成ＣＱＩ報告、またはユーザ機器選択サブバンドＣＱＩ報告である。一態様では、ＣＱＩ報告は周期または非周期報告である。一態様では、ＵＥは、複数のＤＬコンポーネントキャリアの各々についてのＣＱＩ報告を個別に生成する。
【００５９】
６０６において、ＵＥは、１つまたは複数のＣＱＩ報告を少なくとも１つのＵＬコンポーネントキャリア上でｅノードＢに送信する。一態様では、ＰＵＣＣＨを使用して周期ＣＱＩ報告が送信される。ＵＥが、スケジュールされた周期ＣＱＩ報告と同じサブフレーム中でＵＬデータを送信する必要がある場合、周期ＣＱＩ報告はＰＵＳＣＨによってＵＬデータ送信とともに搬送されることが認められる。一態様では、非周期ＣＱＩ報告は、ＰＵＳＣＨを使用して、ＵＬデータとともに、または単独で送信される。
【００６０】
図７に、ｅノードＢによって実行され得る例示的な動作７００を示す。７０２において、ｅノードＢは、少なくとも１つのＵＬコンポーネントキャリアに関連する複数のＤＬコンポーネントキャリアの総ＤＬ帯域幅に基づいて１つまたは複数のＣＱＩ報告パラメータを決定する。一態様では、１つまたは複数のＣＱＩ報告パラメータは、サブバンドサイズｋ、帯域幅パートＪ、または報告するためのサブバンドの好適な数Ｍのうちの少なくとも１つを備える。
【００６１】
１つの特定の態様では、総ＤＬ帯域幅ＢDLが１１０ＲＢ未満である場合、ｅノードＢは、表１、表２、および表３に示すように、パラメータｋ、Ｊ、およびＭを決定する。別の態様では、ＢDLが１１０ＲＢよりも大きい場合、表１、表２、および表３は同様の原理を使用して拡張される。たとえば、以下の表４に示すように、サイズ１１１〜２１０ＲＢ、２１１〜３１０ＲＢ、３１１〜４１０ＲＢなどの総ＤＬ帯域幅ＢDLのためのエントリを作成するように表２を拡張し得る。パラメータＪおよびＭについて同様の表が生成され得ることが認められる。
【表４】
0005475117.tif 000009
【００６２】
７０４において、ｅノードＢは、１つまたは複数のＣＱＩ報告パラメータをＤＬコンポーネントキャリア上でＵＥに送信する。一態様では、ｅノードＢは、任意の好適な手段、たとえば、上位レイヤシグナリング、ＲＲＣシグナリング、制御チャネルメッセージ、またはデータチャネルメッセージを使用して、１つまたは複数のＣＱＩ報告パラメータを送信する。
【００６３】
７０６において、ｅノードＢはＤＬコンポーネントキャリアについての１つまたは複数のＣＱＩ報告を受信し、各ＣＱＩ報告は１つまたは複数のＣＱＩ報告パラメータに従って生成される。一態様では、ｅノードＢは、ＤＬコンポーネントキャリアの各々についてのＣＱＩ報告を個別に受信する。一態様では、ＣＱＩ報告は、広帯域ＣＱＩ報告、上位レイヤ構成ＣＱＩ報告、またはユーザ機器選択サブバンドＣＱＩ報告を備える。ＣＱＩ報告は周期または非周期である。一態様では、ｅノードＢはＰＵＣＣＨを使用してＣＱＩを受信する。
【００６４】
７０８において、ｅノードＢは、受信されたＣＱＩ報告を複数のＤＬコンポーネントキャリア上のダウンリンク送信のために使用する。
【００６５】
一態様によれば、図８に示すように、２つ以上のコンポーネントキャリアが隣接する場合、および／または、２つ以上のＤＬコンポーネントキャリアが同じＤＬ送信モードおよび／またはＣＱＩ報告モードで構成された場合、これらのコンポーネントキャリアのＣＱＩ報告の生成は、単一のキャリアに統合され(consolidated)、集約される（aggregated）。言い換えれば、ＵＥは、ＤＬコンポーネントキャリアのうちの少なくとも２つについて少なくとも１つの集約ＣＱＩ報告を生成し、少なくとも２つのＤＬコンポーネントキャリアは、隣接するか、あるいは同じＤＬ送信モードおよび／またはＣＱＩ報告モードで構成される。一態様では、すべてのＤＬコンポーネントキャリアが隣接する場合、および／または、すべてが同じＤＬ送信モードおよび／またはＣＱＩ報告モードを有する場合、ＣＱＩ報告のためにすべてのコンポーネントキャリアが集約され、単一のキャリアとして扱うことができる。一態様では、集約はＵＥごとに動作可能（イネーブル）または動作不可能（ディセーブル）にされ、上位レイヤシグナリングなどの任意の好適な手段を通してＵＥにシグナリングされ得る。
【００６６】
説明したメカニズムのいくつかの態様は、ＤＬおよびＵＬコンポーネントキャリアの特定の関連付けに応じて変更され得る。たとえば、３つのＤＬコンポーネントキャリアと２つＵＬコンポーネントキャリアとがある場合、説明したメカニズムは、セル固有およびＵＥ固有であり得る、決定された関連付け（すなわち、２ＤＬ：１ＵＬおよび１ＤＬ：１ＵＬ）に変更され得る。説明したメカニズムのいくつかの態様が１つのＵＬ上に異なる個別ＣＱＩ報告の多重化を含むように変更され得ることも認められる。
【００６７】
説明したメカニズムのいくつかの態様は、ｌ＝１，．．．，Ｌに対して｜Ｍ｜l≧１であり（各セットは１つまたは複数のコンポーネントキャリアを有し）、Ｍ１＋Ｍ２＋．．．＋ＭＬ＝Ｍであるように、Ｍ個のコンポーネントキャリアをＭ１，Ｍ２，．．．ＭＬセットに分割するように拡張され得ることがさらに認められる。一態様では、セットＭlごとに、セット中のコンポーネントキャリアの総帯域幅に基づいてパラメータｋl、Ｊl、Ｍlが決定され、ＣＱＩ／ＰＭＩ／ＲＩは個別に（または上記で説明したようにいくつかの集約を使用して）生成及び報告される。一態様によれば、複数のＭ個のコンポーネントキャリアが１つまたは複数のコンポーネントキャリアのセットに分割され、ｅノードＢがセットごとに１つまたは複数のＣＱＩ報告パラメータを決定する。
【００６８】
本明細書で使用する「決定」という用語は、多種多様なアクションを包含する。たとえば、「決定」は、計算、算出、処理、導出、調査、探索（たとえば、テーブル、データベース、または別のデータ構造での探索）、確認などを含み得る。また、「決定」は、受信（たとえば、情報を受信すること）、アクセス（たとえば、メモリ中のデータにアクセスすること）などを含み得る。また、「決定」は、解決、選択、選出、確立などを含み得る。
【００６９】
本明細書で使用する、項目のリスト「のうちの少なくとも１つ」を指す句は、単一のメンバーを含む、それらのアイテムの任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃをカバーするものとする。
【００７０】
上記で説明した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、（１つまたは複数の）様々なハードウェアおよび／またはソフトウェア構成要素および／または（１つまたは複数の）モジュールを含み得る。一般に、図に示す動作がある場合、それらの動作は、同様の番号をもつ対応するカウンターパートのミーンズプラスファンクション構成要素を有し得る。
【００７１】
本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００７２】
本開示に関連して説明した方法またはアルゴリズムのステップは、直接ハードウェアか、プロセッサによって実行されるソフトウェアモジュールか、またはその２つの組合せで実施され得る。ソフトウェアモジュールは、当技術分野で知られている任意の形式の記憶媒体中に常駐し得る。使用され得る記憶媒体のいくつかの例には、ランダムアクセスメモリ（ＲＡＭ）、読取り専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭなどがある。ソフトウェアモジュールは、単一の命令、または多数の命令を備え得、いくつかの異なるコードセグメント上で、異なるプログラム間で、および複数の記憶媒体にわたって分散され得る。記憶媒体は、プロセッサがその記憶媒体から情報を読み取ることができ、その記憶媒体に情報を書き込むことができるように、プロセッサに結合され得る。代替として、記憶媒体はプロセッサに一体化され得る。
【００７３】
本明細書で開示する方法は、説明した方法を達成するための１つまたは複数のステップまたはアクションを備える。本方法のステップおよび／またはアクションは、特許請求の範囲の範囲から逸脱することなく互いに交換され得る。言い換えれば、ステップまたはアクションの特定の順序が指定されない限り、特定のステップおよび／またはアクションの順序および／または使用は特許請求の範囲から逸脱することなく変更され得る。
【００７４】
説明した機能は、ハードウェア、ソフトウェア、ファームウェア、またはそれらの組合せで実装され得る。ソフトウェアで実装した場合、機能は１つまたは複数の命令としてコンピュータ可読媒体上に記憶され得る。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、あるいは他の光ディスクストレージ、磁気ディスクストレージまたは他の磁気記憶デバイス、もしくは命令またはデータ構造の形態の所望のプログラムコードを搬送または記憶するために使用でき、コンピュータによってアクセスできる任意の他の媒体を備えることができる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、この場合、ディスク（disk）は、通常、データを磁気的に再生し、ディスク（disc）はデータをレーザで光学的に再生する。
【００７５】
したがって、いくつかの態様は、本明細書で提示する動作を実行するためのコンピュータプログラム製品を備え得る。たとえば、そのようなコンピュータプログラム製品は、本明細書で説明する動作を実行するために１つまたは複数のプロセッサによって実行可能である命令をその上に記憶した（および／または符号化した）コンピュータ可読媒体を備え得る。いくつかの態様では、コンピュータプログラム製品はパッケージング材料を含み得る。
【００７６】
ソフトウェアまたは命令はまた、送信媒体を介して送信され得る。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、送信媒体の定義に含まれる。
【００７７】
さらに、本明細書に記載の方法および技法を実行するためのモジュールおよび／または他の適切な手段は、適用可能な場合にユーザ端末および／または基地局によってダウンロードおよび／または他の方法で取得され得ることを諒解されたい。たとえば、本明細書で説明した方法を実行するための手段の転送を可能にするために、そのようなデバイスをサーバに結合することができる。代替的に、本明細書で説明される様々な方法は、ユーザ端末および／または基地局がストレージ手段をデバイスに結合するかまたは与えると様々な方法を得ることができるように、ストレージ手段（たとえば、ＲＡＭ、ＲＯＭ、コンパクトディスク（ＣＤ）またはフロッピーディスクなど物理記憶媒体など）によって提供され得る。さらに、本明細書で説明する方法および技法をデバイスに与えるための任意の他の適切な技法を利用することができる。
【００７８】
特許請求の範囲は、上記の正確な構成および構成要素に限定されないことを理解されたい。上記で説明した方法および装置の構成、動作および詳細において、特許請求の範囲から逸脱することなく、様々な改変、変更および変形を行い得る。
【００７９】
上記は本開示の態様を対象とするが、本開示の他の態様およびさらなる態様は、その基本的範囲から逸脱することなく考案され得、その範囲は以下の特許請求の範囲によって決定される。
以下に、本願出願の当初の特許請求の範囲に記載された発明を付記する。
［１］  マルチキャリアシステムにおいてチャネル品質を報告するための方法であって、
１つまたは複数のチャネル情報フィードバック報告パラメータを受信することと、前記チャネル情報フィードバック報告パラメータは、少なくとも１つのアップリンク（ＵＬ）コンポーネントキャリアに関連する複数のダウンリンク（ＤＬ）コンポーネントキャリアの総ＤＬ帯域幅に基づいて決定され、
前記ＤＬコンポーネントキャリアについての１つまたは複数のチャネル情報フィードバック報告を生成することと、各チャネル情報フィードバック報告は前記１つまたは複数のチャネル情報フィードバック報告パラメータに従って生成され、
前記１つまたは複数のチャネル情報フィードバック報告を前記少なくとも１つのＵＬコンポーネントキャリア上で進化型ノードＢ（ｅノードＢ）に送信することと、
を備える方法。
［２］  前記１つまたは複数のチャネル情報フィードバック報告パラメータは、サブバンドサイズ、帯域幅パート、または報告するためのサブバンドの好適な数のうちの少なくとも１つを備える、「１」記載の方法。
［３］  前記１つまたは複数のチャネル情報フィードバック報告は、ユーザ機器選択サブバンドチャネル品質インジケータ（ＣＱＩ）報告を備える、［１］記載の方法。
［４］  送信することは、物理アップリンク共有チャネルを使用して前記ＣＱＩ報告を送信することを備える、［３］記載の方法。
［５］  送信することは、物理アップリンク制御チャネルを使用して前記ＣＱＩ報告を送信することを備える、［３］記載の方法。
［６］  前記生成することは、前記ＤＬコンポーネントキャリアのうちの少なくとも２つについて少なくとも１つの集約チャネル情報フィードバック報告を生成することを備え、前記少なくとも２つのＤＬコンポーネントキャリアは、隣接する、あるいは同じＤＬ送信モードおよび／またはチャネル品質インジケータ（ＣＱＩ）報告モードで構成される、のうちの少なくとも一方である、［１］記載の方法。
［７］  少なくとも１つの集約チャネル情報フィードバック報告を生成することは、ＵＥごとに動作可能にされる、［６］記載の方法。
［８］  複数のＭ個のコンポーネントキャリアは、１つまたは複数のコンポーネントキャリアのセットに分割され、前記決定することは、各セットについて１つまたは複数のチャネル情報フィードバック報告パラメータを決定することを備える、［１］記載の方法。
［９］  マルチキャリアシステムにおいてチャネル品質を報告するための装置であって、
１つまたは複数のチャネル情報フィードバック報告パラメータを受信するための論理と、前記チャネル情報フィードバック報告パラメータは、少なくとも１つのアップリンク（ＵＬ）コンポーネントキャリアに関連する複数のダウンリンク（ＤＬ）コンポーネントキャリアの総ＤＬ帯域幅に基づいて決定され、
前記ＤＬコンポーネントキャリアについて１つまたは複数のチャネル情報フィードバック報告を生成するための論理と、各チャネル情報フィードバック報告は前記１つまたは複数のチャネル情報フィードバック報告パラメータに従って生成され、
前記１つまたは複数のチャネル情報フィードバック報告を前記少なくとも１つのＵＬコンポーネントキャリア上でｅノードＢに送信するための論理と、
を備える装置。
［１０］  前記１つまたは複数のチャネル情報フィードバック報告パラメータは、サブバンドサイズ、帯域幅パート、または報告するためのサブバンドの好適な数のうちの少なくとも１つを備える、［９］記載の装置。
［１１］  前記１つまたは複数のチャネル情報フィードバック報告は、ユーザ機器選択サブバンドチャネル品質インジケータ（ＣＱＩ）報告を備える、［９］記載の装置。
［１２］  送信するための論理は、物理アップリンク共有チャネルを使用して前記ＣＱＩ報告を送信するための論理を備える、［１１］記載の装置。
［１３］  送信するための論理は、物理アップリンク制御チャネルを使用して前記ＣＱＩ報告を送信するための論理を備える、［１１］記載の装置。
［１４］  前記生成するための論理は、前記ＤＬコンポーネントキャリアのうちの少なくとも２つについて少なくとも１つの集約チャネル情報フィードバック報告を生成するための論理を備え、前記少なくとも２つのＤＬコンポーネントキャリアは、隣接する、あるいは同じＤＬ送信モードおよび／またはチャネル品質インジケータ（ＣＱＩ）報告モードで構成される、のうちの少なくとも一方である、［９］記載の装置。
［１５］  少なくとも１つの集合チャネル情報フィードバック報告を生成するための論理が、ＵＥごとに動作可能にされる、［１４］に記載の装置。
［１６］  複数のＭ個のコンポーネントキャリアは、１つまたは複数のコンポーネントキャリアのセットに分割され、前記決定することは、各セットについて１つまたは複数のチャネル情報フィードバック報告パラメータを決定することを備える、［９］記載の装置。
［１７］  マルチキャリアシステムにおいてチャネル品質を報告するための装置であって、
１つまたは複数のチャネル情報フィードバック報告パラメータを受信するための手段と、前記チャネル情報フィードバック報告パラメータは、少なくとも１つのアップリンク（ＵＬ）コンポーネントキャリアに関連する複数のダウンリンク（ＤＬ）コンポーネントキャリアの総ＤＬ帯域幅に基づいて決定され、
前記ＤＬコンポーネントキャリアについての１つまたは複数のチャネル情報フィードバック報告を生成するための手段と、各チャネル情報フィードバック報告は前記１つまたは複数のチャネル情報フィードバック報告パラメータに従って生成され、
前記１つまたは複数のチャネル情報フィードバック報告を前記少なくとも１つのＵＬコンポーネントキャリア上でｅノードＢに送信するための手段と、
を備える装置。
［１８］  前記１つまたは複数のチャネル情報フィードバック報告パラメータは、サブバンドサイズ、帯域幅パート、または報告するためのサブバンドの好適な数のうちの少なくとも１つを備える、［１７］記載の装置。
［１９］  前記１つまたは複数のチャネル情報フィードバック報告は、ユーザ機器選択サブバンドチャネル品質インジケータ（ＣＱＩ）報告を備える、［１７］記載の装置。
［２０］  送信するための手段は、物理アップリンク共有チャネルを使用して前記ＣＱＩ報告を送信するための手段を備える、［１９］記載の装置。
［２１］  送信するための手段は、物理アップリンク制御チャネルを使用して前記ＣＱＩ報告を送信するための手段を備える、［１９］記載の装置。
［２２］  前記生成するための手段は、前記ＤＬコンポーネントキャリアのうちの少なくとも２つについて少なくとも１つの集約チャネル情報フィードバック報告を生成するための手段を備え、前記少なくとも２つのＤＬコンポーネントキャリアは、隣接する、あるいは同じＤＬ送信モードおよび／またはチャネル品質インジケータ（ＣＱＩ）報告モードで構成される、のうちの少なくとも一方である、［１７］記載の装置。
［２３］  少なくとも１つの集約チャネル情報フィードバック報告を生成するための手段は、ＵＥごとに動作可能にされる、［２２］記載の装置。
［２４］  複数のＭ個のコンポーネントキャリアは、１つまたは複数のコンポーネントキャリアのセットに分割され、前記決定することは、各セットについての１つまたは複数のチャネル情報フィードバック報告パラメータを決定することを備える、［１７］記載の装置。
［２５］  １つまたは複数のプロセッサによって実行可能な命令が記憶されたコンピュータ可読媒体を備える、マルチキャリアシステムにおいてチャネル品質を報告するためのコンピュータプログラム製品であって、前記命令は、
１つまたは複数のチャネル情報フィードバック報告パラメータを受信するための命令と、前記チャネル情報フィードバック報告パラメータは、少なくとも１つのアップリンク（ＵＬ）コンポーネントキャリアに関連する複数のダウンリンク（ＤＬ）コンポーネントキャリアの総ＤＬ帯域幅に基づいて決定され、
前記ＤＬコンポーネントキャリアについての１つまたは複数のチャネル情報フィードバック報告を生成するための命令と、各チャネル情報フィードバック報告は前記１つまたは複数のチャネル情報フィードバック報告パラメータに従って生成され、
前記１つまたは複数のチャネル情報フィードバック報告を前記少なくとも１つのＵＬコンポーネントキャリア上でｅノードＢに送信するための命令と、
を備える、コンピュータプログラム製品。
［２６］  マルチキャリアシステムにおいてチャネル品質を報告するための装置であって、
１つまたは複数のチャネル情報フィードバック報告パラメータを受信することと、前記チャネル情報フィードバック報告パラメータは、少なくとも１つのアップリンク（ＵＬ）コンポーネントキャリアに関連する複数のダウンリンク（ＤＬ）コンポーネントキャリアの総ＤＬ帯域幅に基づいて決定され、
前記ＤＬコンポーネントキャリアについて１つまたは複数のチャネル情報フィードバック報告を生成することと、各チャネル情報フィードバック報告は前記１つまたは複数のチャネル情報フィードバック報告パラメータに従って生成され、
前記１つまたは複数のチャネル情報フィードバック報告を前記少なくとも１つのＵＬコンポーネントキャリア上でｅノードＢに送信することと、
を行うように構成された少なくとも１つのプロセッサと、
前記少なくとも１つのプロセッサに結合されたメモリと、
を備える装置。
［２７］  マルチキャリアシステムにおいてチャネル品質を報告するための方法であって、
少なくとも１つのアップリンク（ＵＬ）コンポーネントキャリアに関連する複数のダウンリンク（ＤＬ）コンポーネントキャリアの総ＤＬ帯域幅に基づいて１つまたは複数のチャネル情報フィードバック報告パラメータを決定することと、
前記１つまたは複数のチャネル情報フィードバック報告パラメータを前記ＤＬコンポーネントキャリア上でユーザ機器（ＵＥ）に送信することと、
前記ＤＬコンポーネントキャリアについての１つまたは複数のチャネル情報フィードバック報告を受信することと、各チャネル情報フィードバック報告は前記１つまたは複数のチャネル情報フィードバック報告パラメータに従って生成され、
前記１つまたは複数のチャネル情報フィードバック報告をダウンリンク送信のために使用することと、
を備える方法。
［２８］  前記１つまたは複数のチャネル情報フィードバック報告パラメータは、サブバンドサイズ、帯域幅パート、または報告するためのサブバンドの好適な数のうちの少なくとも１つを備える、［２７］記載の方法。
［２９］  前記１つまたは複数のチャネル情報フィードバック報告は、ユーザ機器選択サブバンドチャネル品質インジケータ（ＣＱＩ）報告を備える、［２７］記載の方法。
［３０］  送信することは、物理アップリンク共有チャネルを使用して前記ＣＱＩ報告を送信することを備える、［２９］記載の方法。
［３１］  送信することは、物理アップリンク制御チャネルを使用して前記ＣＱＩ報告を送信することを備える、［２９］記載の方法。
［３２］  前記生成することは、前記ＤＬコンポーネントキャリアのうちの少なくとも２つについて少なくとも１つの集約チャネル情報フィードバック報告を生成することを備え、前記少なくとも２つのＤＬコンポーネントキャリアは、隣接する、あるいは同じＤＬ送信モードおよび／またはチャネル品質インジケータ報告モードで構成される、のうちの少なくとも一方である、［２７］記載の方法。
［３３］  少なくとも１つの集合チャネル情報フィードバック報告を生成することは、ＵＥごとに動作可能にされる、［３２］に記載の方法。
［３４］  複数のＭ個のコンポーネントキャリアは１つまたは複数のコンポーネントキャリアのセットに分割され、前記決定することは、各セットについて１つまたは複数のチャネル情報フィードバック報告パラメータを決定することを備える、［２７］記載の方法。
［３５］  マルチキャリアシステムにおいてチャネル品質を報告するための装置であって、
少なくとも１つのアップリンク（ＵＬ）コンポーネントキャリアに関連する複数のダウンリンク（ＤＬ）コンポーネントキャリアの総ＤＬ帯域幅に基づいて１つまたは複数のチャネル情報フィードバック報告パラメータを決定するための論理と、
前記１つまたは複数のチャネル情報フィードバック報告パラメータを前記ＤＬコンポーネントキャリア上でＵＥに送信するための論理と、
前記ＤＬコンポーネントキャリアについての１つまたは複数のチャネル情報フィードバック報告を受信するための論理と、各チャネル情報フィードバック報告は前記１つまたは複数のチャネル情報フィードバック報告パラメータに従って生成され、
前記１つまたは複数のチャネル情報フィードバック報告をダウンリンク送信のために使用するための論理と、
を備える装置。
［３６］  前記１つまたは複数のチャネル情報フィードバック報告パラメータは、サブバンドサイズ、帯域幅パート、または報告するためのサブバンドの好適な数のうちの少なくとも１つを備える、［３５］記載の装置。
［３７］  前記１つまたは複数のチャネル情報フィードバック報告は、ユーザ機器選択サブバンドチャネル品質インジケータ（ＣＱＩ）報告を備える、［３５］記載の装置。
［３８］  送信するための論理は、物理アップリンク共有チャネルを使用して前記ＣＱＩ報告を送信するための論理を備える、［３７］記載の装置。
［３９］  送信するための論理は、物理アップリンク制御チャネルを使用して前記ＣＱＩ報告を送信するための論理を備える、［３７］記載の装置。
［４０］  前記生成するための論理は、前記ＤＬコンポーネントキャリアのうちの少なくとも２つについて少なくとも１つの集約チャネル情報フィードバック報告を生成するための論理を備え、前記少なくとも２つのＤＬコンポーネントキャリアは、隣接する、あるいは同じＤＬ送信モードおよび／またはチャネル品質インジケータ（ＣＱＩ）報告モードで構成される、のうちの少なくとも一方である、［３５］記載の装置。
［４１］  前記少なくとも１つの集約チャネル情報フィードバック報告を生成するための論理は、ＵＥごとに動作可能にされる、［４０］記載の装置。
［４２］  複数のＭ個のコンポーネントキャリアは１つまたは複数のコンポーネントキャリアのセットに分割され、前記決定することは、各セットについて１つまたは複数のチャネル情報フィードバック報告パラメータを決定することを備える、［３５］記載の装置。
［４３］  マルチキャリアシステムにおいてチャネル品質を報告するための装置であって、
少なくとも１つのアップリンク（ＵＬ）コンポーネントキャリアに関連する複数のダウンリンク（ＤＬ）コンポーネントキャリアの総ＤＬ帯域幅に基づいて１つまたは複数のチャネル情報フィードバック報告パラメータを決定するための手段と、
前記１つまたは複数のチャネル情報フィードバック報告パラメータを前記ＤＬコンポーネントキャリア上でＵＥに送信するための手段と、
前記ＤＬコンポーネントキャリアについて１つまたは複数のチャネル情報フィードバック報告を受信するための手段と、各チャネル情報フィードバック報告は前記１つまたは複数のチャネル情報フィードバック報告パラメータに従って生成され、
前記１つまたは複数のチャネル情報フィードバック報告をダウンリンク送信のために使用するための手段と、
を備える装置。
［４４］  前記１つまたは複数のチャネル情報フィードバック報告パラメータは、サブバンドサイズ、帯域幅パート、または報告するためのサブバンドの好適な数のうちの少なくとも１つを備える、［４３］記載の装置。
［４５］  前記１つまたは複数のチャネル情報フィードバック報告は、ユーザ機器選択サブバンドチャネル品質インジケータ（ＣＱＩ）報告を備える、［４３］記載の装置。
［４６］  送信するための手段は、物理アップリンク共有チャネルを使用して前記ＣＱＩ報告を送信するための手段を備える、［４５］記載の装置。
［４７］  送信するための手段は、物理アップリンク制御チャネルを使用して前記ＣＱＩ報告を送信するための手段を備える、［４５］記載の装置。
［４８］  前記生成するための手段は、前記ＤＬコンポーネントキャリアのうちの少なくとも２つについて少なくとも１つの集約チャネル情報フィードバック報告を生成するための手段を備え、前記少なくとも２つのＤＬコンポーネントキャリアは、隣接する、あるいは同じＤＬ送信モードおよび／またはチャネル品質インジケータ報告モードで構成される、のついの少なくとも一方である、［４３］記載の装置。
［４９］  前記少なくとも１つの集約チャネル情報フィードバック報告を生成するための手段は、ＵＥごとに動作可能にされる、［４８］記載の装置。
［５０］  複数のＭ個のコンポーネントキャリアは１つまたは複数のコンポーネントキャリアのセットに分割され、前記決定することは、各セットについての１つまたは複数のチャネル情報フィードバック報告パラメータを決定することを備える、［４３］記載の装置。
［５１］  １つまたは複数のプロセッサによって実行可能な命令が記憶されたコンピュータ可読媒体を備える、マルチキャリアシステムにおいてチャネル品質を報告するためのコンピュータプログラム製品であって、前記命令は、
少なくとも１つのアップリンク（ＵＬ）コンポーネントキャリアに関連する複数のダウンリンク（ＤＬ）コンポーネントキャリアの総ＤＬ帯域幅に基づいて１つまたは複数のチャネル情報フィードバック報告パラメータを決定するための命令と、
前記１つまたは複数のチャネル情報フィードバック報告パラメータを前記ＤＬコンポーネントキャリア上でＵＥに送信するための命令と、
前記ＤＬコンポーネントキャリアについての１つまたは複数のチャネル情報フィードバック報告を受信するための命令と、各チャネル情報フィードバック報告は前記１つまたは複数のチャネル情報フィードバック報告パラメータに従って生成され、
前記１つまたは複数のチャネル情報フィードバック報告をダウンリンク送信のために使用するための命令と、
を備える、コンピュータプログラム製品。
［５２］  マルチキャリアシステムにおいてチャネル品質を報告するための装置であって、
少なくとも１つのアップリンク（ＵＬ）コンポーネントキャリアに関連する複数のダウンリンク（ＤＬ）コンポーネントキャリアの総ＤＬ帯域幅に基づいて１つまたは複数のチャネル情報フィードバック報告パラメータを決定することと、
前記１つまたは複数のチャネル情報フィードバック報告パラメータを前記ＤＬコンポーネントキャリア上でＵＥに送信することと、
前記ＤＬコンポーネントキャリアについての１つまたは複数のチャネル情報フィードバック報告を受信することと、各チャネル情報フィードバック報告が前記１つまたは複数のチャネル情報フィードバック報告パラメータに従って生成され、
前記１つまたは複数のチャネル情報フィードバック報告をダウンリンク送信のために使用することと、
を行うように構成された少なくとも１つのプロセッサと、
前記少なくとも１つのプロセッサに結合されたメモリと、
を備える装置。
【図１】
0005475117.tif 000010
【図２】
0005475117.tif 000011
【図３】
0005475117.tif 000012
【図４】
0005475117.tif 000013
【図５】
0005475117.tif 000014
【図６】
0005475117.tif 000015
【図７】
0005475117.tif 000016
【図８】
0005475117.tif 000017